(57)【要約】【解決課題】家庭内にユーザが作成したコンテンツを安価に保管するための広告を受信可能な記憶装置とそのシステムを提供する。【解決手段】各家庭に設置したホームストレージ（第一の記憶装置）にユーザがデータを保管する領域（ユーザ領域）と広告を保管する領域（広告領域）を設ける。第一の記憶装置はユーザ領域上のユーザの趣味・趣向情報を調べ、遠隔地の第二の記憶装置でバックアップを行う際に同時に送付する。第二の記憶装置は第一の記憶装置の趣味・趣向情報を元に、適切な広告を選び、広告を第一の記憶装置に送信する。ユーザは、第一の記憶装置のコンテンツを視聴する際に、送信された広告を参照する。ユーザが広告を視聴したこと統計データとして残し、第二の記憶装置がその累計を計算し、広告主から広告費を徴収することで、第一の記憶装置の利用料金を補填する。【選択図】図６
2009157815.tif 000002
【特許請求の範囲】
【請求項１】
第１の記憶装置と、この第１の記憶装置に記憶された情報を表示する表示装置と、前記第１の記憶装置とネットワークを介して接続される第２の記憶装置とを含む広告配信システムにおいて、
前記第１の記憶装置は、
前記第１の記憶装置を使用するユーザのコンテンツを保管する第１の保管部と、
この第１のデータ保管部にコンテンツを保管する際に抽出されるコンテンツに関連するコンテンツ関連情報を保管する第２の保管部と、
前記第２の記憶装置から送信される広告用の広告データを保管する第３の保管部と、
前記第１の保管部に保管されるコンテンツ及び前記第２の保管部に保管されるコンテンツ関連情報を所定のタイミングで前記第２の記憶装置へ送信する送信部とを有し、
前記第２の記憶装置は、
広告データを保管する第４の保管部と、
前記送信部から送信された前記コンテンツを保管する第５の保管部と、
前記送信部から送信された前記コンテンツ関連情報を保管する第６の保管部と、
前記コンテンツと対応するコンテンツ関連情報に適応する広告データを前記第４の保管部から選択し、前記第１の記憶装置へ送信する制御部とを有し、
前記表示装置は、前記第１の保管部に保管されたコンテンツを表示する際に、前記第３の保管部に保管された広告データから前記表示するコンテンツに適応する広告データを表示する表示部を有することを特徴とする広告配信システム。
【請求項２】
前記第２の記憶装置は、
前記広告データの特徴を示すターゲット情報を保管する第７の保管部を有し、
前記制御部は、前記コンテンツ関連情報と前記ターゲット情報を比較して広告データを選択することを特徴とする請求項１記載の広告配信システム。
【請求項３】
前記第１の記憶装置は、前記第２の記憶装置から送信されるターゲット情報を記憶する第８の保管部を有し、
前記制御部は、前記広告データとともに前記ターゲット情報を送信することを特徴とする請求項２記載の広告配信システム。
【請求項４】
前記表示装置で表示される広告データは、指示されたコンテンツのコンテンツ関連情報と前記ターゲット情報を用いて前記第４の保管部から選択されることを特徴とする請求項３記載の広告配信システム。
【請求項５】
前記表示装置が前記広告データを表示する際に、前記第４の保管部から広告データを選択できなかったときは、前記第１の記憶装置は、前記コンテンツ関連情報と前記ターゲット情報から選択できる広告データがあるかを前記第２の記憶装置に問い合わせることを特徴とする請求項４記載の広告配信システム。
【請求項６】
前記第１の記憶装置が前記問い合わせに失敗した場合は、前記表示装置は前記第４の保管部に保管された所定の広告データを表示することを特徴とする請求項５記載の広告配信システム。
【請求項７】
前記広告配信システムは、前記第２の記憶装置と接続される前記広告データの広告主の所持する計算装置を含み、
前記ターゲット情報は、前記計算装置から前記広告データとともに前記第２の記憶装置へ送信されることを特徴とする請求項２記載の広告配信システム。
【請求項８】
前記第１の記憶装置は、
前記第１の保管部と前記第３の保管部のデータ領域の比率を設定する設定部と、
前記設定部で設定された比率に基づいて、予め設定された前記第１の記憶装置のレンタル料金から割引料金を算出し、前記レンタル料金から前記割引料金を減額した減額後料金を算出し、この算出された割引料金を前記表示装置の表示部に表示する処理部とを有することを特徴とする請求項１記載の広告配信システム。
【請求項９】
前記表示部は、前記レンタル料金、前記割引料金及び前記減額後料金を全て表示することを特徴とする請求項８記載の広告配信システム。
【請求項１０】
前記表示装置は、前記コンテンツの表示の近傍かつ同一画面に前記広告データを表示することを特徴とする請求項１記載の広告配信システム。
【請求項１１】
前記第１の記憶装置と前記第２の記憶装置は、一方が他方に対して遠隔地に配置されていることを特徴とする請求項１記載の広告配信システム。
【請求項１２】
前記所定のタイミングは、予め設定されたスケジュールに基づくタイミングであることを特徴とする請求項１記載の広告配信システム。
【請求項１３】
第１の記憶装置と、この第１の記憶装置に記憶された情報を表示する表示装置と、前記第１の記憶装置とネットワークを介して接続される第２の記憶装置とを含む広告配信システムの広告配信方法は、
前記第１の記憶装置を使用するユーザのコンテンツ及びそのコンテンツから抽出されるコンテンツに関連するコンテンツ関連情報を所定のタイミングで前記第２の記憶装置へ送信するステップと、
前記第２の記憶装置は前記送信されたコンテンツ関連情報に適応する広告データを選択し、前記第１の記憶装置へ送信するステップと、
前記表示装置は、前記コンテンツを表示する際に、保管された広告データから前記表示するコンテンツに適応する広告データを表示するステップとを有することを特徴とする広告配信システムの広告配信方法。
【請求項１４】
前記広告データの選択は、前記コンテンツ関連情報と広告データの特徴を示すターゲット情報を比較して選択するものであることを特徴とする請求項１３記載の広告配信システムの広告配信方法。
【請求項１５】
前記第２の記憶装置は、前記広告データとともにターゲット情報を送信することを特徴とする請求項１４記載の広告配信システムの広告配信方法。
【請求項１６】
前記表示装置で表示される広告データは、指示されたコンテンツのコンテンツ関連情報と前記ターゲット情報を用いて選択されることを特徴とする請求項１５記載の広告配信システムの広告配信方法。
【請求項１７】
前記表示装置が前記広告データを表示する際に、前広告データを選択できなかったときは、前記第１の記憶装置は、前記コンテンツ関連情報と前記ターゲット情報から選択できる広告データがあるかを前記第２の記憶装置に問い合わせることを特徴とする請求項１６記載の広告配信システムの広告配信方法。
【請求項１８】
前記第１の記憶装置が前記問い合わせに失敗した場合は、前記表示装置は所定の広告データを表示することを特徴とする請求項１７記載の広告配信システムの広告配信方法。
【請求項１９】
前記第１の記憶装置は、前記第１の記憶装置を使用するユーザのコンテンツを保管する保管部と前記第２の記憶装置から送信される広告用の広告データを保管する保管部とのデータ領域の比率の設定に基づいて、予め設定された前記第１の記憶装置のレンタル料金から割引料金を算出し、前記レンタル料金から前記割引料金を減額した減額後料金を算出し、この算出された割引料金を前記表示装置に表示するステップとを有することを特徴とする請求項１３記載の広告配信システムの広告配信方法。
【請求項２０】
前記表示するステップは、前記レンタル料金、前記割引料金及び前記減額後料金を全て表示することを特徴とする請求項１９記載の広告配信システムの広告配信方法。
【発明の詳細な説明】
【技術分野】
【０００１】
本発明は、広告配信システムに関し、特に、ホームストレージの記録データをバックアップしたバックアップストレージからホームストレージに記録データを配信する際に広告も合わせて配信する広告配信システムに関する。
【背景技術】
【０００２】
インターネット経由でテレビ番組や映画を安価に家庭内の計算機（ＰＣ）に配信するシステムとして、Gyao(www.gyao.jp)がある。Gyaoのサービスでは、視聴するＰＣでテレビ番組の配信前後に広告が表示される。この仕組みにおいて、配信される広告はスキップできないようになっており、その代わりにユーザは、無料でテレビ番組を視聴できるようになっている。本システムにおいて、テレビ番組を作成する業者はデータを保管できるが、ユーザは、個人のコンテンツを保管できないといった課題があった。また、テレビ番組等の映像を鑑賞する際に、常時インターネットに接続する必要があり、移動時に映像を見ようとしても、閲覧できないといった課題があった。
【０００３】
また、個人が作成したコンテンツを保管する仕組みを持つ記憶装置として、Microsoft（登録商標）社のWindows Home Server
(http://www.microsoft.com/japan/windows/products/winfamily/windowshomeserver/default.mspx)がある。この記憶装置は、個人の作成したファイルを保管、この記憶装置内で閉じて、バックアップを行う仕組みがある。しかし、記憶装置を安価に利用可能にする仕組み、並びに、バックアップしたデータを遠隔地に保管する技術がなかった。
【０００４】
上記の技術では、ユーザのデータを保管することは可能だが、安価に、そして、オフラインでも、個人が保管したファイルを参照することができなかった。
【非特許文献１】Microsoft Corporation著  「Reviwer’s Guide for Windows Home Server」  2007年９月 http://download.microsoft.com/download/b/4/9/b491dc53-fbbf-4763-9c7d-bc6657776450/WHS_Reviewer_Guide.pdf
【非特許文献２】株式会社Usen  Gyao 事業本部著  「Gyao Media Guide」  2007年１０月１０日, http://www.gyao.jp/ad/gyao_mediaguide1012.zip
【発明の開示】
【発明が解決しようとする課題】
【０００５】
本発明が解決しようとする課題は、ユーザが作成したコンテンツを安価に保管するために広告を受信可能な記憶装置システムを提供する点である。
【課題を解決するための手段】
【０００６】
本発明のシステムは、各家庭に配置される第一の記憶装置と、第一の記憶装置に保管されたコンテンツを参照する第一の計算機もしくはテレビ装置(以下ＴＶ)等のコンテンツ再生装置、遠隔地のセンタに配置される第二の記憶装置、第二の記憶装置に広告を保管する第二の計算機から構成される。コンテンツ生成装置と第一の記憶装置は、ローカルエリアネットワーク（ＬＡＮ１３）で接続、第一の記憶装置と第二の記憶装置は、広域ネットワーク（ＷＡＮ）を経由して接続、第二の記憶装置と第二の計算機は広域ネットワーク（ＷＡＮ）を経由して接続する。
【０００７】
第一の記憶装置は、家庭用と広告用の記憶領域を持ち、家庭用の記憶領域のデータをバックアップセンタ（以下センタ）の第二の記憶装置にバックアップを行う。バックアップされた時点で、ユーザ用の記憶領域に保管しているコンテンツに保管されているメタ情報を元に生成された趣味・趣向情報もセンタに転送する。センタには、広告主が第二の計算機を用いて保管した広告と広告に関連した趣味・趣向情報が共に保管してあり、第二の記憶装置が趣味・趣向情報（以下ターゲット情報とも呼ぶ）を元に、適切な広告を選定し、広告を第一の記憶装置上の広告用の記憶領域に、広告のターゲット情報と共に配信する。
第一の記憶装置は、第一の記憶装置上の最新の趣味・趣向情報とターゲット情報をつき合わせ、ユーザがコンテンツ再生時に適切な広告を表示する。
【発明の効果】
【０００８】
本発明によれば、バックアップストレージは、バックアップした記録データを配信する際に、配信する時点での適切な広告をホームストレージに提供することができる。
【発明を実施するための最良の形態】
【０００９】
以下、本発明の各実施形態について図面を参照して説明する。以下の各実施形態では、ユーザが、安価にユーザのコンテンツを記憶装置に保管し、そのコンテンツにアクセスできる目的を、バックアップセンタの接続状態に因らずに実現している。
【００１０】
（第１の実施形態）
図１は、本発明システムにおける概念構成図である。本システムは、家庭１０に導入される第一の記憶装置１１（以下、ホームストレージとも呼ぶ）、バックアップセンタ２０に配備される第二の記憶装置２１（以下、バックアップストレージとも呼ぶ）、そして、広告主３０が保有する入力端末の計算機３１から構成する。第一の記憶装置１１とバックアップストレージ２１間はインターネット、ＡＴＭ、フレームリレー、専用線等の広域ネットワーク網（ＷＡＮ）４０で接続する。また、広告主３０とバックアップセンタ２０もＷＡＮで接続してもよい。
【００１１】
第一の記憶装置１１は、各家庭に１個以上配備され、各家庭に用意されているＬＡＮ１３に接続する。ＬＡＮ１３は、物理層としてEthernet（登録商標）、電力線ネットワーク(Power line Communications: PLC)、無線ＬＡＮ(IEEE 802.11a,b,g等)で接続し、Transmission Control Protocol / Internet Protocol:TCP/IP等の符号訂正プロトコルを用いて、通信を行う。
【００１２】
ＬＡＮ１３上にはテレビ１２、計算機（図中未記載）、デジタルカメラ（図６に記載）、ビデオカメラ（図６に記載）、ビデオデッキ（図中未記載）が接続され、ユーザが作成したコンテンツを第一の記憶装置１１側のユーザの記憶領域（後述する。）に保管する。定期的にデータをバックアップセンタ２０のバックアップストレージ２１にバックアップを行い、広告主３０が提供する広告情報３２をバックアップセンタ２０で適切な広告を選択し、第一の記憶装置１１に提供する。
【００１３】
ユーザは、テレビ１２や計算機のコンテンツ再生ソフト、もしくは、ホームストレージ１１が提供するコンテンツ再生ホームページを用いて、コンテンツを広告と共に再生する。
以下で、その具体的な動作について、物理、論理構成と共に説明する。
【００１４】
図２は、ユーザのコンテンツを受信するテレビ１２の物理構成図である。テレビ１２は、映像処理と外部のＬＡＮ１３に接続処理を行うＭＰＵ(Micro Processing Unit)５２とメモリ（ＭＥＭ）５１、映像を出力するビデオチップ(Video)５３、ＬＡＮ１３と接続するＮＩＣ（Network Interface Card）チップ５０、録画したテレビ番組等を保管するディスク５４、テレビのプログラムを保管しているＲＯＭ５６、映像を表示するＬＣＤ５５やプラズマディスプレイ等のモニタから構成する。
【００１５】
図３は、第一の記憶装置１１の物理構成図である。第一の記憶装置１１は、処理を実行するＭＰＵ６０、メモリ６１、ＬＡＮ１３と接続するＮＩＣチップ６２、第一の記憶装置１１の動作を決定するプログラム、そして、ユーザのコンテンツと広告も保管するディスク６３から構成する。
【００１６】
図４は、広告主３０が利用する計算機３１の物理構成図である。計算機３１は、計算処理を行う計算部７５とモニタ部７６から構成する。計算部７５は、処理を実行するＭＰＵ７０、メモリ７１、ＬＡＮ１３と接続するＮＩＣチップ７２、第一の記憶装置１１の動作を決定するプログラム、ユーザのコンテンツと広告も保管するディスク７３、モニタ部７６と接続するビデオカード７４から構成する。また、モニタ部７６は、ＬＣＤやプラズマディスプレイから構成する。本実施例では、モニタ部７６、計算機の一部として記載しているが、モニタ部７６を別筐体にしてもよい。
【００１７】
図５は、バックアップデータが保管されるバックアップセンタ２０側の第二の記憶装置２１の物理構成を示す。この第１の実施形態においては、第二の記憶装置２１は、計算機８０とディスクアレイ９２から構成する。
【００１８】
計算機８０は、処理を実行するＭＰＵ８１、メモリ８２、ＬＡＮ／ＷＡＮと接続するＮＩＣチップ８５、ＯＳ（Operation System）、バックアップ、広告配信処理を実行するプログラムを保管するディスク８４、外部のディスクアレイ９２と接続する為のＨＢＡ(Host Bus Adapter)８３から構成する。
【００１９】
ディスクアレイ９２は、コントローラ８６とディスク９１から構成する。コントローラ８６は、ＲＡＩＤ処理を行うＭＰＵ８７、ホストである計算機８０にＦｉｂｒｅ  Ｃｈａｎｎｅｌを通じて、Small Computer System Interface(ＳＣＳＩ)コマンドを用いて、記憶資源を提供するポート９０、ディスク９１とコンローラ８６を接続するポート８９、キャッシュデータやプログラムの動作情報を保管するメモリ（ＭＥＭ)８８から構成する。複数台から構成するディスク９１はコントローラ８６とＳＡＳ（Serial Attached SCSI）や、ＳＡＴＡ（ Serial ATA）等のプロトコルを用いてデータの転送を行う。このディスク９１には、第一の記憶装置１１のバックアップデータ、趣味・趣向情報、広告主からの広告データ、趣味・趣向情報を保管する。データの信頼性を高める為に、コントローラ８６は、Redundant Arrays of Inexpensive（ＲＡＩＤ）を用いて、複数のディスク９１からＲＡＩＤ１、ＲＡＩＤ５によりディスク９１の信頼性を高めてもよい。
【００２０】
計算機８０とディスクアレイ９２は、Storage Area Network（ＳＡＮ）９３で接続する。ＳＡＮは、記憶装置とホスト接続しデータの転送行う通信路で、Fibre Channel、SAS、Enhanced Serial ATA(eSTA)、iSCSI等のプロトコルを用いてデータの転送を行うものである。
【００２１】
なお、この第１の実施形態では、外部に記憶装置がある実施形態を記載したが、ディスク９１の代わりにディスク８4へデータを保管してもよい。
【００２２】
図６は、この第１の実施形態における論理構成図を示す。なお、本項では、説明の便宜上、動作の一部を示すが、具体的な動作は、後述する。また、構成図中の実線はデータの移動を示し、点線は制御情報の流れを示す。
【００２３】
家庭１０側には、ＬＡＮ１３がありＰＣ１００、ビデオカメラ１０１、デジカメ（Digital Camera）１０２、テレビ１２がＬＡＮ１３に接続してあり、外部のインターネット等のＷＡＮ４０とはＡＤＳＬルータ、Cableモデムルータ等のＬＡＮ−ＷＡＮルータ１０１を用いて接続する。また、このＬＡＮ１３には、第一の記憶装置１１も接続している。第一の記憶装置１１は、コンテンツが生成されるビデオカメラ１０１、デジカメ１０２、ＰＣ１００からデータをＮＦＳ(Network File System)、ＷｅｂＤＡＶ（Distributed Authoring and Versioning protocol for the WWW）、ＣＩＦＳ(Common Internet File System)、ＳＭＢ(Ｓerver Message Block)等のファイル共有プロトコルを用いて受け取るファイル保管機能１１０、保管されるファイルをhttp経由で提供するファイル提供機能１１１を持つ。
【００２４】
まず、装置を動作する前に、第一の記憶装置１１の構成定義１２１を設定機能１２０により行う。設定機能１２０は、ユーザがＰＣのＷｅｂクライアントからhttpプロトコルによりアクセスできるようになっており、
管理用のアドレス(例：http://192.168.0.3/manager.html)、管理用のＧＵＩを表示し、物理構成図（図３）に現れたディスク６３の領域の内、家庭用領域１１７と広告用領域１１８を設定する。
【００２５】
ファイル保管機能１１０はコンテンツを家庭用領域１１７に保管すると同時にコンテンツのメタ情報を抽出する。そのメタ情報を趣味・趣向部１１２に渡す。趣味・趣向部１１２は得られたメタ情報をリストとしてまとめる。また、メタ情報に正規化が必要な場合、バックアップセンタ２０側から提供される正規化情報を元に情報の正規化を行う。
【００２６】
家庭用領域１１７に保管されたコンテンツは設定機能部１２０で設定にされたバックアップスケジュールに従い、バックアップスケジューラ１２３が実行の指示を与え、バックアップ部１１３が第二の記憶装置２１に家庭用領域１１７のファイルのバックアップを行う。バックアップの時に、ホームストレージ１１内にあるコンテンツと趣味・趣向情報１１６は、バックアップセンタ２０側の第二の記憶装置２１内の趣味・趣向情報部１３０とバックアップセンタ１３２に送付され、趣味・趣向情報記憶部１３１とバックアップストレージ２１にそれぞれ記録する。なお、第二の記憶装置２１もルータ等の装置を用いてＷＡＮに接続する。
【００２７】
一方、広告主３０は、広告画像・映像１３８と広告と各家庭の趣味・趣向情報１３１に合うターゲット情報を準備しておき、ルータ等の機材を用いてＷＡＮ４０に接続する計算機３１を用いて、広告画像・映像を広告データ登録部１４０に登録する。登録の際、広告データ登録部１４０は広告提供部１３４経由で、広告画像・映像１３８を広告領域１３５に保管し、ターゲット情報１３９もターゲット情報記憶領域１３６に保管する。
【００２８】
広告提供部１３４は、複数の第一の記憶装置１１から提供された趣味・趣向情報を元に、配信する広告を決め、第一の記憶装置１１に提供する。
【００２９】
第一の記憶装置１１の広告配信部１１５は、第二の記憶装置２１から提供される広告映像・画像を入手し、それと共に提供された広告映像・画像のターゲット情報も取得し、ターゲット情報記録領域１１９に保管する。
【００３０】
ＰＣ１００やテレビ１２などのコンテンツ再生を行えるコンテンツ再生装置より、第一の記憶装置１１のファイル提供部１１１にコンテンツの再生依頼が来た場合、まず、ファイル名から広告配信部１１５が趣味・趣向情報部１１２から対応するファイルの趣味・趣向情報を得て、それに関連する広告をターゲット情報記憶領域１１９に保管された広告リストを参照して、コンテンツに対する適切な広告を選び、ファイル提供部１１１がコンテンツをする際に広告も配信する。
【００３１】
この動作を行う論理構成を活用する動作方法を示す。図７に第一の記憶装置１１を家庭１０に導入する時の設定機能１２０が提供する設定フローを示す。以下がその具体的なステップ動作である。
【００３２】
ステップ２０００：第一の記憶装置１１の電源を入れると共に初期設定画面を提供する。この画面は、httpプロトコル経由で、第一の記憶装置にアクセスされたときに、設定機能１２０が提供する。ステップ２００１：設定機能１２０が設定済みの有無についてユーザ向け構成定義情報１２１の設定済み項目を元に確認する。この第１の実施形態では、構成定義情報１２１の内、ユーザ向け定義情報の設定済み２０８０（図１１参照。）の有無を調べる。設定済みビットがオフの場合には、設定を行う為に、ステップ２００２を処理する。設定済みのビットがオンの場合、起動時には、再設定をする必要はないため、本動作を終了する。ステップ２００２：設定機能１２０が初期設定画面を提供し、httpブラウザ上に、表示。ユーザに広告領域の割合を入力してもらう。ステップ２００３：ステップ２００２で決められた広告領域の割合を受け取り、その値を設定機能１２０が設定する。以上で設定処理を終了する。
【００３３】
ステップ２００２の初期設定画面について具体的に説明する。図８にその設定画面２０１０を示す。この設定画面２０１０は、ＰＣ１００やテレビ１２がMicrosoft（登録商標）社のInternet ExploreやMozila Foundation社のFireFoxに代表されるホームページ閲覧機能によって、ネットワーク経由で設定機能１２０に接続することにより設定機能１２０がhtmlを生成し、表示する画面である。
【００３４】
設定画面２０１０は、第一の記憶装置１１の広告用領域１１８を設定する為に、ユーザが利用可能な全保管領域を示す容量２０１１、広告用記憶領域２０１９と家庭用記憶領域２０２０（ユーザが利用可能な記憶領域）の容量を可変に設定するスライドバー２０１５により割合を決め、全保管領域２０１１に閉める割合を２０１６で示し、その際の記憶領域の容量を２０２１で示す。なお、割合の最大値、すなわち、無料になる閾値は、装置無料時の広告の記憶領域の容量２０１５で表示され、スライドバー２０１５の最大値となる２０２２で、最大値（１００％）となる。この第一の記憶装置１１の使用料金が無料となる時の広告の記憶領域の容量は、後述のシステム向けの設定情報内の無料広告記憶容量欄２０５７を参照する（図１０参照。）。全保管領域２０１１は、後述の構成定義情報の内、システム向け定義情報で、全記憶領域の容量２０４５の項目を参照する。
【００３５】
設定した容量に基づく、第一の記憶装置１１の利用料金は、割引後の月々使用料金２０１４として表示し、同時に割り引く前の金額である標準月々使用料金２０１２、広告の記憶領域の割合によって、割引が決定される割引料金２０１３、第１の記憶装置１１の利用料が無料になる広告記憶領域の容量２０２１を表示する。
【００３６】
表示される標準月々使用料金２０１２は、後述のシステム向けの設定情報（図１０参照。）の内、標準基本料金の金額２０５２の項目を参照する。この金額を元に、広告の記憶領域の割合で割引料金２０１３を引いた値が、割引後の月々使用料金２０１４となる。この第１の実施形態では、割引料金を広告記憶領域２０１９の割合を割引率として利用しているが、別の割引を決める方式を適用してもよい。
【００３７】
ユーザが広告の記憶領域の割合を入力後、設定ボタン２０１８を押すことで、ステップ２００３の設定処理を行う。キャンセルボタン２０１７を押した場合、現在の広告の記憶領域の割合はリセットされ、工場出荷時の割合、例えば、４０％の広告の記憶領域を表示する。なお、ユーザインターフェイスの簡略化の為に、割合を常に工場出荷時に固定値にする、もしくは、初期設定時にネットワークに接続後、センタにアクセスすることで、その値を取得して設定することも考えられる。その際は、利用料金も固定になる。
【００３８】
なお、第一の記憶装置１１に対するＩＰアドレスの設定はIETFのZero Configuration Networking(http://www.zeroconf.org/),http://files.zeroconf.org/draft-ietf-zeroconf-reqts-12.txt)の標準を用いて行い、得られたＩＰアドレスをＩＰアドレス２０８１とホスト名２０８２に設定するが、ステップ２００２の一つとして、ＧＵＩ（Graphical User Interface）を用意し、ユーザが設定してもよい。
【００３９】
図９はステップ２００２で行う記憶領域の設定における記憶領域を概念的に示した図である。図３のディスク６３内は、システム領域２０３０、広告用領域２０３１、家庭用領域２０３２から構成する。この記憶空間の内、ユーザに見える空間はユーザ可視領域２０３３で、ユーザのミスオペによるファイル消去等を考えシステム領域２０３０はユーザからはアクセスできないようにしてもよい。システム領域２０３０は、第一の記憶措置１１の動作プログラム並びに設定情報が保管される。
【００４０】
次にステップ２００３で行う設定項目を示す。図１０（Ａ）〜（Ｃ）はシステム領域に保管されるシステム向けの設定情報である。第一の記憶装置１１の個体識別子であるシリアル番号２０５６がある。この番号は、各第一の記憶装置にユニークになるように値を工場出荷時に定義される。設定情報は、ディスク６３内のシステム構成定義２０４０、標準基本料金２０５０、無料広告記憶容量２０５５から構成される。構成定義２０４０は、各領域の空間（領域名）２０４１を示す為に、領域の開始位置２０４２とその領域のサイズ２０４３を持つ。また、第一の記憶装置１１が管理する全記憶領域を２０４５としても記載する。この第１の実施形態では、開始位置２０４２、サイズ２０４３を容量としてＧＢ指定としたが、アドレス指定、例えばLogical Block Address（ＬＢＡ、論理ブロック番号）指定でもよい。設定した容量は、fdiskにより明確に領域を分けてもよいし、ファイルシステムのQuataによって領域を分けてもよい。
【００４１】
標準基本料金は２０５０に示される。この標準基本料金２０５０はこの第１の実施形態では、固定値を示しているが、バックアップセンタ２０から提供される標準基本料金に基づき金額を変えてもよい。また、無料広告記憶容量は２０５５に示される。無料広告記憶容量２０５５は標準基本料金２０５０と同様にバックアップセンタ２０から提供される容量に基づき金額を変えてもよい。
【００４２】
図１１はシステム領域に保管されるユーザ向けの設定情報である。設定情報は、ディスク６３内の家庭用領域の構成定義２０６０、ユーザ料金２０７０、広告領域割合２０７５から構成する。
【００４３】
家庭用領域の構成定義２０６０は、各領域の空間（領域名）２０６１を示す為に、領域の開始位置２０６２とその領域のサイズ２０６３を持つ。ステップ２００３で設定される領域は、広告用記憶領域２０６５、家庭用記憶領域２０６６で、ＧＵＩで決定した割合を元に、開始２０６２とサイズ２０６３が与えられる。また、ステップ２００３で設定される割合は、設定機能１２０が２０７５に保管する。
【００４４】
工場出荷時には、ユーザ可視領域２０３３はファイルシステムを構築済みで、かつ、バックアップセンタ２０からまとまった広告ファイルとターゲット情報が保管された状態で第一の記憶装置１１を提供し、ステップ２００３で設定された値で、ターゲット情報の内、頻度キーワードから順に広告をリスト化している上位のファイルと頻度キーワードに入っていないがお客が決めた広告金額順に広告がリスト化しているワイルドカードの広告リストで、下位のファイルから順に不要なファイルを削除し、家庭用領域１１７を用意する。この手順のメリットは、ユーザは、バックアップセンタ２０から新規の広告の配信を受けることなく、広告を即座に利用できる点がある。
【００４５】
別の準備の仕方として、ユーザ可視領域２０３３をフォーマットして、初期状態の家庭用領域１１７と広告用領域１１８を用意してもよい。この手順のメリットは、後述のバックアップ操作で、広告情報が最新のものを入手した上で、第一の記憶装置１１を利用できる点である。また、センタの第二の記憶装置に接続する為に、第一の記憶装置は、第二の記憶装置のIPアドレスを持ち、そのアドレスをユーザが設定、もしくは、工場出荷時に設定しておく。
【００４６】
家庭用領域１１７を準備した後、ファイル保管部１１０は家庭用領域１１７上のファイルシステムをNFS/CIFS/SMB/WebDAV等のファイル共有プロトコルで公開名（例：\\homestorage\user）をつけて公開する。この公開の際、ユーザからの無料読み出しを防ぐ為に、ファイルとファイル名、そして、それらの属性は参照・変更できるようにしておき、ファイルに対するライトは許可し、リードは拒否するようにして公開する。各ＰＣ１００はこの公開名を用いて、第一の記憶装置１１にアクセスする。なお、この公開名は、工場出荷時に規定値として設定されていてもよいし、ユーザが設定機能部経由で後から再設定してもよい。
【００４７】
次に、第一の記憶装置１１にデータを保管する際の動作を示す。図１２はファイル保管を行う際のシーケンスで図である。ＰＣ１００を利用するユーザは、第一の記憶装置１１に保管するファイルを選択し、第一の記憶装置１１から公開される公開名のフォルダに対してファイルを移す。ＰＣ１００は選択されたファイル名で第一の記憶装置１１に同一のファイルの状態（生成の可否、上書き保存の可否等）をファイル保管部１１０に確認する。
【００４８】
実際のファイルはファイルシステムが保持しているので、２１０１の処理は、ファイルシステム上のシステムコールでさらに実行する（２１０２）。もし、該当ファイルがファイルを生成、もしくは、上書き書き込みができるようであれば、第一の記憶装置１１は保管完了として、応答（ＯＫ）を返す（２１０３）。ＰＣ１００は通知を受け取り（２１０４）、選択ファイルのデータを読み取り、データを転送開始する（２１０５）。
【００４９】
全てのデータの転送が完了すると転送完了として、通知を行う（２１０８）。ファイル保管部１１０は、受け取ったデータをファイルシステム上に保管を行う為にファイルオープンをファイルシステム上に対して行う（２１０６）。ＰＣ１００は書き出し処理が完了するとWrite終了を送信する（２１１０）、非同期処理の場合、２１０８のWrite処理が終了した後、Write要求２１０６が継続していたとしても、２１１２でファイルの保管完了を通知する。もし、同期処理の場合、継続して処理を行う。２１１０のWrite終了２１１０で受け取った後、ファイル保管部１１０は、趣味・趣向情報取得部１１２に対して、保管ファイルの分析を依頼する。趣味・趣向情報取得部１１２は、該当ファイルをファイルシステムからRead要求２１１４〜Read終了要求２１１５までで読み出し、読み出されたデータを元に分析２１１６の処理を行う。分析処理が終了後、趣味・趣向情報取得部１１２は、完了通知を２１１７に戻し、保管完了を通知（２１１８）する。
【００５０】
ファイルオープン２１０１処理時に、同期、非同期の値を指定する。値によって、動作が異なる為、ライト処理のフローチャートを示す。図１３は、ファイル保管部が行うライト処理のフローチャートである。
【００５１】
ステップ２２０１：ライト処理を実行する際に、同期処理か、もしくは、非同期処理かを、ファイルオープン時に送付されたオプションを参照することで確認する。もし、同期処理の場合ステップ２２０２に進み、非同期処理の場合２２０４に進む。ステップ２２０２：ライト処理を同期実行する。この処理は、先に記載した２１０６〜２１１０までの処理である。ステップ２２０３：趣味・趣向情報を取得する。この処理は、先に記載した２１１３〜２１１７までの処理である。
【００５２】
ステップ２２０４：ライト処理を非同期実行する。この処理は、２１０５の処理の後、先に記載した２１０６〜２１１０までの処理をバックグラウンド処理として実行する。この際、データの整合性を保障する為に、分析対象となるファイル群に対してロックを用意し、ロックを取得する。ステップ２２０５：趣味・趣向情報を取得する。この処理は、先に記載した２１１３〜２１１７までの処理である。２１１６の処理が終了時、先のファイル群に対するロックを開放し、他の処理からアクセスできるようにする。
【００５３】
以上がライト処理である。プロトコルによっては、同期処理・非同期の選択ができない可能性もある為、特に指定がなければ、同期転送とする。
【００５４】
図１４の２２１０に、ステップ２２０３、２２０５で示した趣味・趣向部１１２が行う趣味・趣向情報取得を示す。図１４は、趣味・趣向情報取得処理のフローチャートである。
【００５５】
ステップ２２１１：保管のファイルのメタ情報を読み取る。この処理はシーケンスの２１１４〜２１１５で行われる。ステップ２２１２：メタ情報を趣味・趣向情報１１６上の趣味・趣向テーブル２２２０（図１５参照。）に保管する。ステップ２２１３：データの種別をデータ種別テーブル２２４０（図１６参照。）より、保管したファイルのデータの種別からデータ種別２２４１中に登録済みか否かを確認する。
【００５６】
登録済みの場合、ステップ２２１３を処理する。登録済みで無い場合、ステップ２２１５に進む。ステップ２２１４：該当データ種別２２４１の正規化情報に基づき正規化を行う。例えば、ＪＰＧデータの「地域による正規化」の場合、使用情報２２４３を参照し、「ＧＰＳタグ」に対する地域の正規化を行う。図１５のファイル名HIT000001.JPGの場合、ＧＰＳのタグ情報を利用し、撮影された県（例：広島）を特定する。別の例では、映像の音声を平文化し、頻度キーワードを抽出し、キーワード（例：こども）として登録する。ステップ２２１５：正規化された情報を趣味・趣向テーブル２２２０の該当タグに対するサマリとして正規化方式２２３０と値２２３１を追加保管する。以上で、趣味・趣向情報の抽出処理を終了する。
【００５７】
図１５に、ステップ２２１２で記したメタ情報を記録する趣味・趣向テーブル２２２０を示す。まず、第一の記憶装置１１の個体識別子であるシリアル番号２２３２がある。この番号は、第一の記憶装置１１にユニークになるように値を工場出荷時に定義される。また、送信される趣味・趣向情報が誰のものかを示すユーザ名２２３３がある。このユーザ名は、第一の記憶装置１１の初期設定をする際に、個別のユーザを登録してもよいし、工場出荷時に決められた全ユーザが同じアカウントを共有するユーザ名でもよい。ファイルのメタ情報は表２２２０である。ファイルのメタ情報が抽出され、ファイル名２２２１、そのファイルの生成日２２２２、生成時刻２２２３、変更日、時刻（明細書中記載なし）、データ種類２２２４を基本情報として保管する。また、個別のファイル種別毎にメタデータを持つようであれば、そのメタデータも個別にタグ２２２５として保管しておき、その形式２２２５、２２２８、値２２２６、２２２９を保管する。また、ステップ２２１４の正規化処理の場合は、サマリとして、正規化した方式２２３０とその値２２３１を保管する。
【００５８】
図１６に、ステップ２２１３でデータの種別を判別したデータ種別テーブル２２４０を示す。
【００５９】
データ種別テーブル２２４０は、各データの種別を示すデータ種別２２４１、正規化処理の手法を示す正規化処理２２４２、正規化の際に使用する使用情報２２４３、正規化したときにサマリとして保管する時のタグを示す保管タグ２２４４から構成する。データ種別テーブル２２４０は、工場出荷時に提供される。もしくは、第二の記憶装置２１が、後述のターゲット情報をアップデートする際に同時に新しいデータ種別テーブル２２４０を送付し、その情報を広告提供部１３４が更新する。
【００６０】
次にバックアップ部１１３が行うバックアップ処理を説明する。バックアップ処理は、保管されたデータに対して、定期的に行われる。
【００６１】
図１７はバックアップを行うバックアップポリシを記載した表２２５０である。バックアップポリシはポリシ２２５１、ポリシを実行するスケジュール２２５２、バックアップ実行時間２２５３、バックアップ行う方式２２５４から構成される。例えば、ポリシ２２５２が毎日の場合、スケジュール２２５２は毎日行い、実行時間２２５３は深夜０時、そして、方式２２５４は差分実行を行う。工場出荷時の規定値として、ポリシ２２５１の毎日と月々は設定しておき、日々の差分バックアップと月々のフルバックアップを実行するようにする。なお、工場出荷時の規定値は、図１８のＧＵＩを用いて、ユーザの要望にあわせ変更は可能である。
【００６２】
図１８は、先の工場出荷時の規定値を、ユーザの要望に合わせて変更するＧＵＩである。ユーザは、定期的なバックアップの頻度２２６１（毎日、毎週、毎月）、バックアップ方式２２６２（フルバックアップ、差分バックアップ）を選択し、追加２２６３ボタンを押すことで、表２２６０にポリシ名２２６４、スケジュール２２６５、方式２２６６に追加する。
【００６３】
ユーザの希望によりポリシを削除する場合、削除２２６７のチェックボックスをオンにする。ＯＫボタン２２６９を押すことにより、バックアップ部１１３はバックアップポリシ表２２５０のポリシのエントリ（スケジュール、方式、時間）を追加・削除する。キャンセルボタン２２６８を押すと、設定内容はキャンセルされる。
【００６４】
図１９は、生成されたバックアップポリシに基づき、日々、バックアップ部１１３が決められた時間（例えばＡＭ４：００）に生成する日々のバックアップスケジュール表２２７０である。
【００６５】
バックアップスケジュール表２２７０は、バックアップを実行する時間２２７１と実行されるバックアップ方式２２７２から構成される。バックアップスケジューラ１２３はこのスケジュールに従い、バックアップの実行を行う。
【００６６】
図２０にバックアップ時に実行されるバックアップのシーケンス図を示す。以下にシーケンスの詳細を示す。
【００６７】
シーケンス２２８１：バックアップスケジューラ１２３はバックアップ開始の指示をバックアップ部１１３に対して行う。シーケンス２２８２：バックアップ部１１３は、バックアップするファイルの転送リストを作成する。フルバックアップの場合、全てのバックアップデータを、差分バックアップの場合、前回のバックアップ日時からファイルの更新日時２２２２、２２２３を参照して更新されたファイルを抽出し、リストを形成する。
【００６８】
シーケンス２２８３：第一の記憶装置１１側のバックアップ部１１３は、第二の記憶装置２１側のバックアップ部１３２に必要容量を通知し、バックアップ処理を行うことを通知する。シーケンス２２８４：第二の記憶装置２１側のバックアップ部１３２は、必要容量の有無をバックアップストレージ１３３側に確認を行い、容量があるのであれば、許可を通知する。もし、容量が無い場合、エラーを戻し、第一の記憶装置１１のバックアップ部１１３は、エラーとして、バックアップスケジューラ１２３に通知する。
【００６９】
シーケンス２２８５：第一の記憶装置１１側のバックアップ部１１３は、転送リストに従いファイルの転送を行う。シーケンス２２８６：第二の記憶装置２１側のバックアップ部１３２は、バックアップ部１１３より受け取ったデータをバックアップストレージ１３３のファイルシステム１３３にデータを保管する。シーケンス２２８７：バックアップストレージ１３３のファイルシステムはバックアップデータの保管が完了したら、保管完了通知をバックアップ部１３２に戻す。シーケンス２２８８：バックアップ部１３２は、ファイルシステムにデータが格納したことをバックアップ部１１３に通知する。
【００７０】
なお、バックアップの非同期処理を選択した場合、シーケンス２２８９：第一の記憶装置１１側のバックアップ部１１３は趣味・趣向情報、並びにターゲット情報の転送開始を必要容量と共に通知する。シーケンス２２９０：第二の記憶装置２１側のバックアップ部１３２は、転送可能な残容量がある場合、転送を可能なことを第一の記憶装置１１のバックアップ部１１３に通知（ＯＫ）する。
【００７１】
シーケンス２２９１：第一の記憶装置１１側のバックアップ部１１３は、図１５で示している趣味・嗜好情報とターゲット情報３０００（後述する。）をバックアップ部１３２に転送する。バックアップ部１３２は、趣味嗜好情報が保管されるファイルシステムに情報を格納する。シーケンス２２９２：第一の記憶装置１１側のバックアップ部１１３は転送完了を第二の記憶装置２１に通知する。シーケンス２２９３：第二の記憶装置２１側のバックアップ部１３２は、転送が完了したことを計算機３１に通知する。シーケンス２２９４：第一の記憶装置１１側のバックアップ部１１３は広告とそのターゲット情報を取得する為に、第二の記憶装置２１のバックアップ部１３２に対して、広告取得要求を発行する。
【００７２】
シーケンス２２９５：第二の記憶装置２１のバックアップ部１３２は、広告用領域１１８に保管されている広告ファイルとターゲット情報記憶部１３６を保管する際の容量を第一の記憶装置１１のバックアップ部１１３に通知する。シーケンス２２９６：第一の記憶装置１１のバックアップ部１１３は、広告ファイルとターゲット情報の広告転送要求を第二の記憶装置２１のバックアップ部１３２に行う。シーケンス２２９７：第二の記憶装置２１のバックアップ部１３２は広告ファイルとターゲット情報１３６の転送を開始する。シーケンス２２９８：全てのファイルの転送が終わったら、転送完了通知を第一の記憶装置１１のバックアップ部１１３に対して行う。シーケンス２２９９：第一の記憶装置１１のバックアップ部１１３は、シーケンス番号２２８３で開始した、バックアップ処理の終了を第二の記憶装置２１のバックアップ部１３２に通知する。
【００７３】
シーケンス２２３０：第二の記憶装置２１のバックアップ部１３２は、バックアップ処理の完了に対して、了解（ＯＫ）を戻す。シーケンス２２３１：第一の記憶装置１１のバックアップ部１１３は、バックアップスケジューラ１２３に対して、バックアップ処理が終了したことを示すＯＫの応答を返す。シーケンス２２３２：バックアップスケジューラ１２３は、バックアップ処理の結果を成功として、記録に残す。もし、シーケンス内で容量未割当、データ転送失敗等で、エラーとなった場合は、エラーをバックアップサーバ内のログ上に残す。以上が、バックアップ処理のシーケンスである。
【００７４】
図２１は、シーケンス２２９１で転送された趣味・趣向情報がバックアップセンタ２０側で登録されているフォーマットを示す。複数の第一の記憶装置１１を管理する為に、先頭にシリアル番号２３１１とユーザ名２３１２が個別のファイルにされる。各ファイルの趣味・趣向情報のフォーマットは、図１５と変わらないので、詳細の説明は割愛する。
【００７５】
バックアップセンタ２０側に登録された、趣味・趣向情報は、趣味・趣向部１３０が各バックアップの完了ごとに統計情報２３２０としてまとめる。図２２（Ａ）〜（Ｃ）は、統計データ等を説明するための図である。
【００７６】
図２２の２３２０は、集計された統計データを示す。この例では、サマリタグで正規化されたキーワード２３２１が全ファイルの内、何パーセントであるかを割合２３２２で示し、その割合の順位を示している。趣味・趣向部１３０では、この順位を元に広告の金額設定をおこなう。この金額設定は、設定機能部１２０を通して、外部のコンソールでおこなってもよし、第二の記憶装置２１が割合を元に自動的に設定してもよい。この設定で、決められた課金情報は、２３２３に記載される。この例では、１秒あたりの課金として、１%の割合に対して、1円の課金を行う仕組みになっている。
【００７７】
まず、広告とキーワードの関連付けを行う前に、図６で示した広告画像・映像１３８をバックアップセンタ２０側の広告提供部１３４に転送する。転送は、WebDAV/ftp/http等の広域網に適したプロトコルを使用する。転送した際、広告提供部１３４は、図２３の２３４０に示されるリストとして保管する。図２３は広告リストで、登録されたファイルに対する広告提供部１３４がファイル毎にユニークな番号をつけるインデックス２３４１、登録したユーザ２３４２、登録した広告のファイル名２３４３がある。
【００７８】
次に広告ファイルに対して、広告として使うターゲット情報１３９を入力する。図２３の２３４４は、各インデックスに対応するターゲット情報１３９をターゲット情報のキーワード２３４４として、入力しておく。なお、定義されたターゲット情報以外の場合における選択肢として、定義外項目としてアスタリスク（＊）マークを用意し、キーワードで外れた場合を選択できるようにしてもよい。
【００７９】
次に、登録済みの広告データと統計データを付き合わせる。この処理は、広告提供部１３４が行う。広告提供部１３４は、図２２において、統計データ２３２０のキーワード２３２１と登録積みターゲット情報２３３２のデータをマッチングすることで、広告を選定する。
【００８０】
広告主３０は、統計データと登録済み広告データのマッチングを確認、必要に応じてそのマッチングを変更してもよい。なお、図中の矢印がマッチング結果を示す。
【００８１】
広告主３０は、統計データと登録積み広告データで対応関係が取れた、広告のファイルインデックスに対して、配信する広告の同時閲覧ユーザ数２３４２、一回の表示時間２３４１、そして、表示時間とユーザ数から決まる合計金額２３４３を決める。
【００８２】
広告提供部１３４は、広告の登録、マッチング、そして、課金設定を上記のように行う。また、登録された広告に対して、リンク情報を付け加えてもよい。その際のフローを図２４に示す。
【００８３】
ステップ２３５１：広告提供部１３４より保管広告リスト２３３０を取得し、ＧＵＩとして表示する。図２５がＧＵＩ例である。インデックスから広告時間までは、保管広告リスト２３３０の情報を表示し、オンライン用コンテンツＵＲＬ２３６３の入力とオンラインコンテンツ２３６４のアップロードをできるようにしておく。ステップ２３５２：ユーザによる、オフライン、オンラインのリンク設定を行う。図２５のＧＵＩを使用し、オンライン用コンテンツＵＲＬ２３６３の入力とオンラインコンテンツ２３６４のアップロードを行う。アップロードは、各インデックスにオフライン用のコンテンツが登録されてない場合、アップロードボタン２３６７を押すことで、広告主３０の計算機３１上のファイルが選択できるようになっており、広告画像・映像１３８のファイルを選択後、ファイル転送を広告提供部１３４に行う。転送は、WebDAV,/ftp,/httpのput等の広域網に適したプロトコルを使用する。
【００８４】
設定が完了したときには、広告主３０はＯＫボタン２３６６を押し、設定を完了する。ステップ２３５３：ステップ２３５２で登録したリンク設定内容を保管広告リスト２３３０の追加部分として登録する。図２６に追加されたものを含む表を示す。追加内容は、オフライン用コンテンツＵＲＬ２３７５と、オンラインコンテンツインデックス２３７６となる。以上で、リンク設定説明を終える。
【００８５】
次に課金方式の説明を行う。課金方式は、複数の第一の記憶装置１１で参照した時間を集計し、ユーザが登録した広告ファイル毎から登録金額から減算を行う。図２７がその動作フローである。
【００８６】
ステップ２３８１：インデックスの広告に対する残金が残っている（残金２３９５＞０）ことを確認する。もし、残金が残っている場合は、ステップ２３８２へ処理を継続。もし残金が残っていない場合、レポートを広告主にメールで通知する（２３８４）と共に処理を終了する。ここで、図２８に各インデックス広告２３９１における、参照時間２３９４と残金２３９５を示しておく。以降では、本表を利用する。
【００８７】
ステップ２３８２：対象広告再生時間を計算し、参照時間２３９４に保管する。複数の第一の記憶装置１１で参照した時間の総計を計算する。このとき、計算機３１で参照した時間は、後述のバックアップ時に送付されるターゲット情報の結果のうち、視聴時間カウンタ２８００（図３６参照。）を用いることにする。ステップ２３８３：残金は、図２８の各広告のインデックスに対して、ステップ２３８２で計算した値を元に、先の課金表で示された、キーワードにおける単価の倍数で計算する。最終的に残金２３９５は、ユーザ設定値の合計から引かれた金額が表示される。本課金方式は、一例であるが、他の課金方式を用いてもよい。
【００８８】
次に広告配信方法について記載する。図２９は広告配信方法を示したフローチャートである。この処理は、広告提供部１３４で行われる。
【００８９】
ステップ２４０１：広告提供部１３４は、後述の転送ファイル決定方式で転送ファイルを決定する（詳細は後述する。）。ステップ２４０２：広告提供部１３４は、決定されたファイルリストのファイル量に対する第一の記憶装置１１側の広告用領域２０３１の容量をＷＡＮ４０経由で確認する。もし、容量が無ければ、ステップ２４０３の処理を行い、容量が有るのであれば、ステップ２４０４へ処理を行う。ステップ２４０３：広告提供部１３４は、転送ファイルリストを再構成する。再構成の仕方の一例は、９：１＝定義済みキーワード：ワイルドカードの割合で、定義済みキーワードファイルのエントリを削除する。ステップ２４０４：転送ファイルリストに記載される広告データと転送ファイルリスト中のファイルに該当するものを抽出したターゲット情報を第一の記憶装置１１から第二の記憶装置２１へ転送する。以上が広告配信方法の説明である。
【００９０】
図３０にステップ２４０１の決定方法の詳細を記載する。ステップ２４１１：統計データ２３２０を取得する。ステップ２４１２：統計データ２３２０のキーワードを選択し、図２６の２３７０のキーワードに該当するインデックスが無いか確認する。ステップ２４１３：ステップ２４１２で調べたキーワードが広告に有るのであれば、ステップ２４１４に進む。無ければ、ステップ２４１５に進む。ステップ２４１４：該当インデックスのファイルを転送するファイルリストに登録する。ステップ２１１５：ワイルドカードとして指定されているファイルで広告料が多いもの優先して選択し、転送ファイルに登録する。この際、ファイルはワイルドカード扱いとする。ステップ２４１６：統計データ２３２０のキーワードの内、処理していないものがあるのであれば、継続して、ステップ２４１２で処理を続ける。もし、全て処理がし終わっているのであれば、処理を終了する。以上がステップ２４０１の詳細である。
【００９１】
図３１は図３０で説明した処理で生成するファイルリスト３０００である。ファイルリスト３０００は、ファイルにつけられたインデックス２４１７、転送される広告のファイル名２４１８、ターゲット２４１９、そして、広告の表示時間２４２０を示す。保管される順は、統計データの高ヒット率のターゲット順となっている。なお、ワイルドカードに関しては、ユーザが指定した金額順に登録する。
【００９２】
ここで、第一の記憶装置１１には、ユーザのコンテンツ、広告データ、ターゲットデータが転送されている。以下では、コンテンツの再生方法について説明する。第一の記憶装置１１のコンテンツを再生する為には、http経由で第一の記憶装置１１のファイル提供部１１１にアクセスを行い、コンテンツを再生するプレイヤーを転送し、ＰＣ１００、もしくは、テレビ１２上に表示する。
【００９３】
本プレイヤーの概要図を図３２に示す。図３２のプレイヤーは、保管してあるコンテンツを表示するコンテンツリスト２４２１、コンテンツリスト２４２１で選ばれたファイルに対して再生を行うコンテンツ再生部２４２２、動画・静止画等の広告を表示する広告表示部２４３３、そして、追加情報をオンライン、オフラインでアクセスできるリンクを表示するリンク部２４４４から形成される。この第１の実施形態では、リンク部２４４４は、説明の為に広告表示部２４３３と独立して表示しているが、広告表示部２４３３のリンクとしてもよい。すなわち、広告をクリックすると、追加情報に対してアクセスが可能となる。
【００９４】
図３３は、コンテンツを再生する際の広告の再生のフローである。以下にその説明を行う。
【００９５】
ステップ２４５１：ファイル提供部１１１は、選択されたファイルのメタ情報のサマリのキーワード２２３１（図１５参照。）が、転送されたファイルリスト３０００中に存在するか否かを確認する。ステップ２４５２：ステップ２４５１で確認したキーワードがある場合、ステップ２４５３に進む。もし無い場合にはステップ２４５４に進む。
【００９６】
ステップ２４５３：キーワードの広告をコンテンツ再生部２４２２で再生する。ステップ２４５４：センタの広告提供部１３４に該当キーワードの広告の有無を問い合わせる。ステップ２４５５：バックアップセンタ２０が接続可能の場合、ステップ２４５６に進む。バックアップセンタ２０に接続不可の場合、ステップ２４５９に進む。ステップ２４５６：バックアップセンタ２０の広告提供部１３４が、該当ファイル有りと戻した場合、ステップ２４５７に進む。該当ファイル無しとなった場合、ステップ２４５９に進む。
【００９７】
ステップ２４５７：バックアップセンタ２０の広告提供部１３４より、該当ファイルを受け取る。この際、ftp、WebDAV等の広域網に適した転送方法を使う。ステップ２４５８：ファイルリスト３０００にターゲットキーワードが存在する最後に保管する。（ワイルドカードの手前に挿入する）。ファイルは、広告領域に保管する。ステップ２４５９：キーワードに対してファイルリスト３０００から広告が見つからない場合、ワイルドカード中の最新の広告から順にラウンドロビンで再生する。もし、次のコンテンツのファイルを再生する場合、次の広告を再生することになる。続けて、ステップ２４５３に進む。以上がフローの説明である。
【００９８】
次に、コンテンツが選択されたされた際に、２４５０のフローで見つけた広告に対する、オンライン・オフラインのリンク内容も切り替える必要がある。このときの処理を示す。図３４は、リンク先の状態を確認した上で、オンライン・オフラインのリンク内容を切り替えるフローである。以下にそのフローの内容を説明する。
【００９９】
ステップ２４７１：ファイル提供部１１１が該当広告のオンラインＵＲＬ３００１のＵＲＬへアクセスする。ステップ２４７２：ＵＲＬに対してアクセス可能な場合、ステップ２４７３に処理を進める。接続できない場合、ステップ２４７４に処理を進める。ステップ２４７３：URLのHomepageをリンクとして登録。一例として、図３２の２４４４が相当する。ステップ２４７４：オフライン用のコンテンツリンクとして登録し、広告を表示。一例として図３５の２４４５が相当する。以上がフローの説明である。
【０１００】
図３６は、各広告に対する視聴時間を累計したものである。各広告２４３３は、広告時間が終了した段階で、広告部のみhtmlを再読み込みする。開始時から最終の再読み込みの感覚の秒数を累計で、カウントする。この視聴情報２８００は、趣味・趣向部１１２がバックアップ時に趣味・趣向情報と共に転送する。
【０１０１】
次にバックアップストレージ１３３に保管したバックアップデータのリストアの方式を記載する。万一、家庭１０側の第一の記憶装置１１の家庭用領域１１７が保管しているディスクが壊れた場合、全データをリストアする必要がある。リストア時には、まず、家庭１０側のユーザは、第一の記憶装置１１を返却する。バックアップセンタ２０側では、同一のシリアル番号の第１の記憶装置１１を作る為に、シリアル番号２０５６を管理ＧＵＩの保守管理モード（保守員しか使えないモード）で行い、新しい第一の記憶装置１１を準備する。リストア時には、新規の第一の記憶装置１１を準備し、バックアップセンタ２０側にユーザの依頼の下、まず、作業員が、第二の記憶装置２１に新しい第一の記憶装置１１をバックアップセンタ２０内のＬＡＮ１３経由で接続する。作業員は、旧第一の記憶装置１１のシリアル番号を新しい第一の記憶装置１１に与え、バックアップ部１３２が旧第一の記憶措置１１の登録ファイルを２３１０から参照を行いファイルのコピーをバックアップストレージ１３３から新しい第一の記憶装置１１の家庭用領域１１７に行う。
【０１０２】
次に、広告に関しても、２３７０の表から該当ファイルに関して抽出しコピーを広告領域１３５から広告用領域１１８へ行う。また、バックアップセンタ側で持つ第一の記憶装置に関連した情報もコピーする（趣味・趣向情報１３１から１１６へ、ターゲット情報１３６から１１９へ、そして、構成定義情報１３７から１２１へコピーする。）。コピー完了後、作業員は、新第一の記憶装置１１を切り離し、ユーザの家庭１０に返却する。ユーザは返却された新第一の記憶装置１１をも家庭１０内のＬＡＮ１３に接続する。この方式のメリットは、後述の方式と比較し、複数のファイルに関するシリアル番号のアップデートが不要になる。この第１の実施形態では同一のシリアル番号の装置を使ったが、コピー時にバックアップセンタ２０側の表２３７０のシリアル番号を書き換えることによって、データの同一性を保障してもよい。この方式のメリットは、複数のバックアップデータを持たずとも、１個のバックアップで、旧第一の記憶装置１１と新第一の記憶装置の１１データを保管できる。また、新第一の記憶装置１１が用意される時点においてシリアル番号を変更せずに、単に家庭用領域１１７のファイルと広告のファイルの全コピーを行い、別装置として再度ユーザが家庭のＬＡＮ１３経由で新規にバックアップをしてもよい。このメリットは、新第一の記憶装置１１のデータが残ると共に、旧シリアル番号のバックアップが残ることができる。
【０１０３】
以上が、第１の実施形態の説明である。この方式のメリットは、ユーザが作成したコンテンツを安価に保管するために広告を受信可能な第１の記憶装置１１を用いた広告配信システムを提供でき、広告を受信可能な第１の記憶装置１１において、広告を受信できないオフライン環境においても、ユーザが作成したコンテンツを参照できる。
【０１０４】
（第２の実施形態）
第１の実施形態では、第一の記憶装置が専用のプレイヤーを用意したが、第２の実施形態では、一般的な、家庭内でCIFS、SMB、NFS等の共有ネットワークファイルシステムで、コンテンツのファイルに対してアクセスする場合を示す。概念図、論理、物理構成に関しては同じものを使うが、処理の一部が異なる。以下では、その処理の違いを中心に説明する。
【０１０５】
基本的な処理として、ファイルを保管は、第１の実施形態と同様、共有ネットワークファイルシステムを使う。読み出しには、図３２のプレイヤーを使わず、共有ネットワークファイルシステムを使う。但し、読み出しの際には、送信の際に、ファイルの中に広告を入れ込んだ形で送付する。一例として、ＭＰＥＧ２、ＭＰＥＧ４の場合を示す。
【０１０６】
コンテンツの選択は、Microsoft社Windows（登録商標）やApple社のMac OSX（登録商標）などが持つ、ディレクトリとファイルの選択を行う。ＰＣ１００などからリードアクセス、もしくは、オープンアクセスが発生した段階で、ファイル提供部１１１が広告ファイルを入れたコンテンツファイルを生成、転送する。
【０１０７】
広告のはめ込みをするフローは以下の通り、ステップ２８１１：ファイル提供部１１１が対象コンテンツのファイルを取得し、一時的なファイルデータの複製を生成する。ステップ２８１２：複製データに対して、広告を挿入するオフセットで分割する。例えば、６０秒毎にＣＭを入れる場合には６０秒毎にフレームを分割する。ステップ２８１３：分割された領域に広告を入れる。この際、広告はデータに合うようにフィーマット変換を行う。ステップ２８１４：データフォーマットにＭＰＥＧ４のような管理情報がある場合、ステップ２８１７に進む。ＭＰＥＧ２のように管理情報が無い場合、ステップ２８１８に進む。
【０１０８】
ステップ２８１５：ＭＰＥＧ４は図３７（詳細は、http://www.j-tokkyo.com/2007/H04N/JP2007-159058.shtmlに記載）に示すように、灰色の管理情報を含み、もし広告を追加するのであれば、moovとboxの中でトラックを追加する点を、記載する。この第２の実施形態では、ビデオトラックとオーディオトラックのＶ#3、A#3が追加され、管理情報であるmoov boxも、オフセット値moov BoxにTrackを追加し、ファイルサイズも変更する。以上がはめ込み処理の概要である。
【０１０９】
このはめ込み処理を使い、広告選定の図３３のロジックにおいてコンテンツに対するサマリの広告を用いたコンテンツ生成を２４５３で行い、同様な、ワイルドカードによるコンテンツに対するサマリの広告を用いたコンテンツ生成を２４５９で行い、コンテンツの複製データを生成してホストからのRead要求に対して、データを戻す。なお、本実施形態では、ＭＰＥＧ２とＭＰＥＧ4のケースを扱ったが、このプロセスを開始する前に事前に、ＭＰＥＧ２もしくは、ＭＰＥＧ４フォーマットに変更してもよい。
【０１１０】
また、上記第２の実施形態では、図３４のリンク処理は行わないが、個々のコンテンツのフォーマットで、リンクが追加できるのであれば、オンラインＵＲＬを付け加えてもよい。
【０１１１】
最後に、図３６の各広告の視聴時間は、各インデックスの広告で、ファイルアクセスがあり、かつ、その際に、広告表示時間を元に、挿入した広告の時間を視聴時間カウンタに対して加算することで、視聴時間とする。
【０１１２】
この方式のメリットは、一般的なネットワークファイルシステムを用いることで、プラットホーム依存性が無く、目的のコンテンツに対してアクセスできる。
【０１１３】
（他の実施形態）
なお上記実施の形態では本発明を、第一の記憶装置１１と、この第一の記憶装置１１に記憶された情報を表示するテレビ１２と、第一の記憶装置１１とＷＡＮ４０を介して接続される第二の記憶装置２１とを含む広告配信システムにおいて、第一の記憶装置１１は、第一の記憶装置１１を使用するユーザのコンテンツを保管する家庭用領域１１７と、この家庭用領域１１７にコンテンツを保管する際に抽出されるコンテンツに関連する趣味・趣向情報を保管する趣味・趣向情報部１１６と、第二の記憶装置２１から送信される広告用の広告データを保管する広告用領域１１８と、家庭用領域１１７に保管されるコンテンツ及び趣味・趣向情報部１１６に保管される趣味・趣向情報を所定のタイミングで第二の記憶装置２１へ送信するバックアップ部１１３とを有し、第二の記憶装置２１は、広告データを保管する広告領域１３５と、バックアップ部１１３から送信されたコンテンツを保管するバックアップストレージ１３３と、バックアップ部１１３から送信された趣味・趣向情報を保管する趣味・趣向情報部１３１と、コンテンツと対応する趣味・趣向情報に適応する広告データを広告領域１３５から選択し、第一の記憶装置１１へ送信する広告提供部１３４とを有し、テレビ１２は家庭用領域１１７に保管されたコンテンツを表示する際に、広告用領域１１８に保管された広告データから表示するコンテンツに適応する広告データを表示する表示部（図３２）を有する広告配信システムに適用した場合で説明したが、本発明はこの構成に限られるものではない。
【０１１４】
また本発明を、第二の記憶装置２１は、広告データの特徴を示すターゲット情報を保管するターゲット情報部１３６を有し、広告提供部１３４は、趣味・趣向情報とターゲット情報を比較して広告データを選択する場合に適用した場合で説明したが、本発明はこの構成に限られるものではない。
【０１１５】
さらに本発明を、第一の記憶装置１１は、第二の記憶装置２１から送信されるターゲット情報を記憶するターゲット情報記録部１１９を有し、広告提供部１３４は、広告データとともにターゲット情報を送信する場合に適用した場合で説明したが、本発明はこの構成に限られるものではない。
【０１１６】
また、ＰＣ上で、ファイルや各アプリケーションを利用する時に、広告をバナー広告として掲載することで、コンテンツとして動画・静止画に限らない幅広い適用ができる。
【図面の簡単な説明】
【０１１７】
【図１】本発明の第１の実施形態における全体概念を示す説明図である。
【図２】同実施形態におけるＴＶに着目したハードウエア構成図である。
【図３】同実施形態における第一の記憶装置に着目したハードウエア構成図である。
【図４】同実施形態におけるＰＣに着目したハードウエア構成図である。
【図５】同実施形態におけるストレージシステムの全体構成を示す構成図である。
【図６】同実施形態におけるシステム全体の論理構成図である。
【図７】同実施形態における第一の記憶装置の初期設定フローチャートである。
【図８】同実施形態における第一の記憶装置における広告用記憶領域、家庭記憶領域を決めるＧＵＩの図である。
【図９】同実施形態における第一の記憶装置のディスクの領域構成図である。
【図１０】同実施形態における第一の記憶装置におけるシステム向けの定義情報の表である。
【図１１】同実施形態における第一の記憶装置におけるユーザ定義情報の表である。
【図１２】同実施形態における第一の記憶装置とファイル保管装置(ＰＣ、デジカメ、ビデオカメラ等)のファイル保管シーケンスである。
【図１３】同実施形態における第一の記憶装置の同期・非同期ライト処理のフローチャートである。
【図１４】同実施形態における第一の記憶装置で実施される趣味趣向情報の抽出を行うフローチャートである。
【図１５】同実施形態における第一の記憶装置で生成された趣味・趣向情報の表である。
【図１６】同実施形態における第一の記憶装置で抽出された趣味・趣向情報を正規化するための方式を記載したデータ種別テーブルの表である。
【図１７】同実施形態における第一の記憶装置で行うバックアップのバックアップポリシを示した表である。
【図１８】同実施形態における第一の記憶装置で行うバックアップ設定のＧＵＩである。
【図１９】同実施形態における第一の記憶装置で行う日々バックアップスケジュール表である。
【図２０】同実施形態における第一の記憶装置と第二の記憶装置で行うバックアップ処理のシーケンス図である。
【図２１】同実施形態における第二の記憶装置で管理する複数の第一の記憶装置に関する趣味・趣向情報の表である。
【図２２】同実施形態における第二の記憶装置で管理する趣味・趣向情報の統計データ、登録済み広告データ、ユーザ設定値を示した図である。
【図２３】同実施形態における第二の記憶装置で登録された広告ファイルリストである。
【図２４】同実施形態における第二の記憶装置で個々の広告ファイルに登録するリンク設定のフォローチャートである。
【図２５】同実施形態における第二の記憶装置で個々の広告ファイルに登録するリンク設定のＧＵＩである。
【図２６】同実施形態における第二の記憶装置で個々の広告ファイルに登録するリンク設定の表である。
【図２７】同実施形態における第二の記憶装置で管理する各広告に対する残金管理を行うフローチャートである。
【図２８】同実施形態における第二の記憶装置で管理する各広告に対する残金管理表である。
【図２９】同実施形態における第二の記憶装置における広告ファイルの転送手順を示したフローチャートである。
【図３０】同実施形態における第二の記憶装置における広告ファイルの転送するファイルを決定するフローチャートである。
【図３１】同実施形態における第二の記憶装置で生成される広告ファイルの転送ファイルリストである。
【図３２】同実施形態における第一の記憶装置のアクセスにより表示されるプレイヤーのＧＵＩである。
【図３３】同実施形態における第一の記憶装置でコンテンツに対応する広告を再生する処理である。
【図３４】同実施形態における第一の記憶装置で表示するリンク情報の表示の仕方を示したフォローチャートである。
【図３５】同実施形態における第一の記憶装置のアクセスにより表示されるプレイヤーのオフライン時のＧＵＩである。
【図３６】同実施形態における第一の記憶装置で表示された広告ファイルの視聴時間を示した表である。
【図３７】本発明の第２の実施形態における第一の記憶装置で作成されるコンテンツ内広告を生成するフローチャートである。
【図３８】同実施形態におけるＭＰＥＧ４のフォーマットと、広告を入れたときの概念図である。
【符号の説明】
【０１１８】
１１…ホームストレージ（第一の記憶装置）
１２…テレビ
１３…ＬＡＮ
２１…バックアップストレージ（第二の記憶装置）
３１…入力端末
４０…ＷＡＮ
１００…ＰＣ
１１６…趣味・趣向情報
１１７…家庭用領域
１１８…広告用領域
１３６…ターゲット情報
１３５…広告領域
【図１】
2009157815.tif 000003
【図２】
2009157815.tif 000004
【図３】
2009157815.tif 000005
【図４】
2009157815.tif 000006
【図５】
2009157815.tif 000007
【図６】
2009157815.tif 000008
【図７】
2009157815.tif 000009
【図８】
2009157815.tif 000010
【図９】
2009157815.tif 000011
【図１０】
2009157815.tif 000012
【図１１】
2009157815.tif 000013
【図１２】
2009157815.tif 000014
【図１３】
2009157815.tif 000015
【図１４】
2009157815.tif 000016
【図１５】
2009157815.tif 000017
【図１６】
2009157815.tif 000018
【図１７】
2009157815.tif 000019
【図１８】
2009157815.tif 000020
【図１９】
2009157815.tif 000021
【図２０】
2009157815.tif 000022
【図２１】
2009157815.tif 000023
【図２２】
2009157815.tif 000024
【図２３】
2009157815.tif 000025
【図２４】
2009157815.tif 000026
【図２５】
2009157815.tif 000027
【図２６】
2009157815.tif 000028
【図２７】
2009157815.tif 000029
【図２８】
2009157815.tif 000030
【図２９】
2009157815.tif 000031
【図３０】
2009157815.tif 000032
【図３１】
2009157815.tif 000033
【図３２】
2009157815.tif 000034
【図３３】
2009157815.tif 000035
【図３４】
2009157815.tif 000036
【図３５】
2009157815.tif 000037
【図３６】
2009157815.tif 000038
【図３７】
2009157815.tif 000039
【図３８】
2009157815.tif 000040